(57)【特許請求の範囲】
【請求項１】
建造物のコンクリート床スラブ上に複数の支柱を一定の配置にて立設し、該支柱の先端に球体保持部を有し、該複数の球体保持部において回転自在に保持された第１の球体を介してフロアパネルに積層された鋼板を支持可能なことを特徴とする免震フリーアクセスフロアであって、
前記支柱は、第２の球体を上方向に付勢するボールプランジャーを備え、
前記フロアパネル下面に積層された前記鋼板には、下方に開放された凹部が形成され、
前記凹部には上方向に付勢された前記第１の球体が嵌着され、
地震時の短周期揺動でフロアパネルがスライドするとき、前記凹部から前記第１の球体が外れ、フロアパネルの全重量が前記第１の球体および前記第２の球体に付勢されるように構成したことを特徴とする免震フリーアクセスフロア。
【請求項２】
支柱には設置時の高さ調節用の長ナットとロックナットが具備されていることを特徴とする請求項１記載の免震フリーアクセスフロア。
【発明の詳細な説明】
【技術分野】
【０００１】  本発明は免震フリーアクセスフロアに関し、特にフリーアクセスフロア自体を免震構造として短周期地震動及び長周期地震動に対応する耐震性能を向上させた免震フリーアクセスフロアに関する。【０００２】  基本的には、建造物のコンクリート床スラブ上に複数の支柱を一定の配置にて立設し、該支柱の先端に球体保持部を有し、該複数の球体保持部において回転自在に保持された球体を介してフロアパネル下面に積層された鋼板を支持することを基本構造としている。【０００３】  フロアパネル下面に積層される鋼板は、隣接するフロアパネルのジョイント補強と撓み防止になっている。
【背景技術】
【０００４】  従来、高精度の生産設備やコンピュータ、ＯＡ機器等が設置される事務所等のフリーアクセスフロアには多様の構造が種々提案されて公知になっている。
【先行技術文献】
【特許文献】
【０００５】
【特許文献１】  特開２００８−２５５５８７号公報
【特許文献２】  特開２００６−３４８７４８号公報
【０００６】
【発明の概要】
【発明が解決しようとする課題】
【０００７】  前記せる特開２００８−２５５５８７号公報においては、建物の床スラブ上に複数の支持脚を一定の配置に立て、支持脚の上端のパネル受け部上にフロアパネルを支持し、構築されたフリーアクセスフロアと建物の構造躯体とが水平力の伝達が可能に連結された構造が提案されている。【０００８】  また、前記せる特開２００６−３４８７４８号公報においては、フレームに複数個のボールベアリングを固定することによりフレームを床スラブ上に移動自在に配置した免震床において、フレームを開口部を下方に向けたＣ形鋼によって形成し、該Ｃ形鋼の上板部の内面にボールベアリングを固定するとともに、ボールベアリングの取り付け高さ調節機構を設けることを記載している。【０００９】  これに対し、本発明の免震フリーアクセスフロアは、以下のように構成されている。
【課題を解決するための手段】
【００１０】
本発明の免震フリーアクセスフロアは、
建造物のコンクリート床スラブ上に複数の支柱を一定の配置にて立設し、該支柱の先端に球体保持部を有し、該複数の球体保持部において回転自在に保持された第１の球体を介してフロアパネルに積層された鋼板を支持可能なことを特徴とする免震フリーアクセスフロアであって、
前記支柱は、第２の球体を上方向に付勢するボールプランジャーを備え、
前記フロアパネル下面に積層された前記鋼板には、下方に開放された凹部が形成され、
前記凹部には上方向に付勢された前記第１の球体が嵌着され、
地震時の短周期揺動でフロアパネルがスライドするとき、前記凹部から前記第１の球体が外れ、フロアパネルの全重量が前記第１の球体および前記第２の球体に付勢されるように構成したことを特徴とする。
また、本発明の免震フリーアクセスフロアは、
支柱には設置時の高さ調節用の長ナットとロックナットが具備されていることを特徴とする。
【００１１】  図９に示す実施例では、フロアパネル１に積層された下向凹状鋼板２００は、フロアパネル１の隣接ジョイント補強と撓み防止の効力を有している。【００１２】  また、図９乃至図１０に示す実施例では、建造物のコンクリート床スラブ７上に複数の支柱１０を一定の配置にて立設し、該支柱１０の先端に球体保持部９１を有し、該複数の球体保持部９１において回転自在に保持された球体８を介してフロアパネル１に積層された下向凹状薄鋼板２００を支持し、球体８の移動量が復元可能に構成されており、コンクリート床スラブ７上に立設された支柱１０の基部がベースプレート２に固定されており、先端部は支持プレート９を介して球体保持部９１が固定され、該球体保持部９１に回転自在に保持された球体８は球体保持部内の摩擦材９２に制動されながら下向凹状鋼板２００を支持し、該下向凹状鋼板２００の端部で球体８，８１の移動が休止した後、反動により復元方向へ移動することを特徴とし、支柱１０には設置時の高さ調節用の長ナット６２とロックナット６３が具備されている免震フリーアクセスフロアを提供する。
【発明の効果】
【００１３】  フロアパネル１の裏面に積層された鋼板６には下向きの凹部６１が形成されており、ボールプランジャー１２の先端に保持された球体４０が、該凹部６１に図２乃至図５に示すように嵌着されている。【００１４】
小さな地震動では変位量が小さいので、前記の嵌着状態に保持されているが、大きな地震動に移行した場合は、図３乃至図６に示すように、凹部６１と球体４１の嵌着が外れてボールプランジャー１２は下降して、フロアパネル１の全重量が球体４０，４１に付勢される。
【００１５】
回転自在の球体４０，４１に保持されたフロアパネル１は全方向に摺動可能となり免震効果が発揮される。
【図面の簡単な説明】
【００１６】
【図１】本発明に係る免震フリーアクセスフロアの支柱構造を概念的に示した平面図である。
【図２】本発明に係る免震フリーアクセスフロアの支柱構造を概念的に示した部分断面図である。
【図３】本発明に係る免震フリーアクセスフロアの支柱構造を概念的に示した部分断面図である。
【図４】本発明に係る免震フリーアクセスフロアの支柱構造を概念的に示した平面図である。
【図５】本発明に係る免震フリーアクセスフロアの支柱構造を概念的に示した部分断面図である。
【図６】本発明に係る免震フリーアクセスフロアの支柱構造を概念的に示した部分断面図である。
【図７】ボールプランジャーの球体の上部がフロアパネル下面に積層された鋼板の鋼板凹部に嵌着されている状態を示す断面図である。
【図８】ボールプランジャーの球体の上部がフロアパネル下面に積層された鋼板の鋼板凹部から離脱し、球体の部分平面部に鋼板が当接された状態を示す断面図である。
【図９】本発明に係る免震フリーアクセスフロアの部分斜視図である。
【図１０】本発明に係る免震フリーアクセスフロアの第２の実施例を示す部分断面図である。
【発明を実施するための形態】
【００１７】
図２に示すように、建造物のコンクリート床スラブ７上に複数の支柱１０を一定の配置にて立設し、該支柱１０の先端に球体保持部３を有し該複数の球体保持部３において回転自在に保持された球体４０の直上にフロアパネル１に積層された鋼板６が配置されている。
【００１８】
小さな地震動では、図２に示すように、フロアパネル１に積層された鋼板６に形成された凹部６１に球体４１が嵌着されている状態に保持されており、大きな地震動に変化すると、図３に示すように、前記せる嵌着状態が離脱され、板バネ５が下方に押圧されて鋼板が積層されたフロアパネルの全荷重が球体４０，４１に付加されて、回転自在の球体４０，４１に保持されたフロアパネル１は全方向に摺動可能となり免震効果が発揮される。
【００１９】
フロアパネル１が全方向にスライドしても、球体４０，４１が回転するのでスライド抵抗が小さく、十分な免震効果を得ることができる
【００２０】  また、図１０に示すように、フロアパネル１の下面に積層される下向凹状鋼板２００は、互いに隣接するフロアパネル１のジョイント補強とフロアパネル１の撓み防止の効果を得ることができる。
【００２１】
建造物のコンクリート床スラブ上に配置された複数の支柱１０のうち、ボールプランジャー１２は、上方向に付勢された球体保持部３が形成されているプランジャーである。
【００２２】
図２に示すように、フロアパネル１の下面には、鋼板６が積層されており、該鋼板６には下方に向いた凹部６１が一定の配置にて形成されており、該凹部には上方向に付勢された球体４１が嵌着されている。
【００２３】
地震時にフロアパネル１がスライドすると、鋼板６の凹部６１から球体４１が外れ、フロアパネル１の全重量が球体４０，４１に付加される。
【００２４】
フロアパネルの全重量が支柱に付加される場合、地震時には、フロアパネル１が全方向にスライドしても、球体４０，４１が回転するのでスライド抵抗が小さく、十分な免震効果を得ることができるように構成されている。
【００２５】  図９乃至図１０に示すように、建造物のコンクリート床スラブ７上に複数の支柱１０を一定の配置にて立設し、該支柱１０の先端に球体保持部９１を有し、複数の球体保持部９１において回転自在に保持された球体８，８１を介してフロアパネル１の隣接ジョイント補強に積層された下向凹状鋼板２００を支持し、球体８，８１の移動量は復元可能に構成されている。
【００２６】  また、図９乃至図１０に示すように、コンクリート床スラブ７上に立設された支柱１０の基部がベースプレート２に溶接されており、先端部は支持プレート９を介して球体保持部９１が固定され、該球体保持部９１に回転自在に保持された球体８が球体保持部内の摩擦材９２に制動されながら下向凹状鋼板２００を支持し、該下向凹状鋼板２００の端部では球体８１が下向凹状鋼板２００の端部に達した後、反動で元の位置に復元可能に構成され該下向凹状に沿って球体８，８１が復元方向へ移動する。
【００２７】  また、全ての支柱１０には設置時の高さ調節用の長ナットとロックナット６３が具備されている。
【００２８】  また、球体８，８１の移動範囲は他の球体に比べて広いので、地震の長周期の揺れに対応することができ、フロアパネル１が水平全方向にスライド可能になるので、長周期の場合の免震効果を得ることができる。
【符号の説明】
【００２９】
１    フロアパネル
１０  支柱（高さ調節用長ナット兼用支柱）
１１  スプリング
１２  ボールプランジャー
２    ベースプレート
２１  溶接部
３    球体保持部
４０  球体
４１  球体
４１１  球体の部分平面部
５    板バネ
６    鋼板
６１  凹部
６３  ロックナット
７  コンクリート床スラブ
８  球体
８１  球体
９  支持プレート
９１  球体保持部
９２  摩擦材
２００    下向凹状鋼板
２０１    固定ネジ
【図１】
0006754520.tif 000002
【図２】
0006754520.tif 000003
【図３】
0006754520.tif 000004
【図４】
0006754520.tif 000005
【図５】
0006754520.tif 000006
【図６】
0006754520.tif 000007
【図７】
0006754520.tif 000008
【図８】
0006754520.tif 000009
【図９】
0006754520.tif 000010
【図１０】
0006754520.tif 000011